(57)【要約】【課題】めっき膜の膜厚によらず、めっき膜の膜厚分布の均一性を向上する。【解決手段】半導体装置製造装置は、基板保持部８と、給電部３と、アノード６と、複数の誘電体１３とを具備する。基板保持部８は、カソード５有する基板２０を保持可能である。給電部３は、カソード５の周辺部に電力を供給する。アノード６は、カソード５と対向する位置に設けられている。複数の誘電体１３は、カソード５とアノード６との間に設けられている。複数の誘電体１３は、カソード５表面に平行な平面に複数の誘電体１３を射影したとき、射影のパターンが平面内で略均一であり、射影の面積が可変であるように構成されている。【選択図】図１
2010138433.tif 000002
【特許請求の範囲】
【請求項１】
カソードを有する基板を保持可能な基板保持部と、
前記カソードの周辺部に電力を供給する給電部と、
前記カソードと対向する位置に設けられたアノードと、
前記カソードと前記アノードとの間に設けられた複数の誘電体と
を具備し、
前記複数の誘電体は、前記カソード表面に平行な平面に前記複数の誘電体を射影したとき、前記射影のパターンが前記平面内で略均一であり、前記射影の面積が可変であるように構成されている
半導体装置製造装置。
【請求項２】
請求項１に記載の半導体装置製造装置において、
前記給電部へ流される電流の積算電流量をモニタするモニタ部と、
前記積算電流量に応じて前記複数の誘電体を動作させて、前記射影の面積を制御するコントロール部と
を更に具備する
半導体装置製造装置。
【請求項３】
請求項１又は２に記載の半導体装置製造装置において、
前記複数の誘電体は、誘電体物質の複数の遮蔽板であり、
前記複数の遮蔽板は、長手方向を軸として回転可能である
半導体装置製造装置。
【請求項４】
請求項１乃至３のいずれか一項に記載の半導体装置製造装置において、
前記複数の誘電体は、誘電体物質の伸縮性の複数のチューブであり、
前記複数のチューブは、内部の液体又は気体の量により直径を伸縮可能である
半導体装置製造装置。
【請求項５】
請求項３又は４に記載の半導体装置製造装置において、
前記射影のパターンは、縞状又は格子状である
半導体装置製造装置。
【請求項６】
請求項１乃至４のいずれか一項に記載の半導体装置製造装置において、
前記複数の誘電体よりも前記アノード側又は前記カソード側に設けられた複数の第２誘電体を更に具備し、
前記複数の第２誘電体は、前記平面に前記複数の第２誘電体を射影したとき、前記複数の第２誘電体を射影のパターンが前記平面内で略均一であり、前記複数の第２誘電体を射影の面積が可変であるように構成されている
半導体装置製造装置。
【請求項７】
請求項２に記載の半導体装置製造装置において、
前記コントロール部は、前記基板と前記アノードとの間に電解めっき液が満たされてめっき成膜が行われたとき、前記カソードと前記アノードとの間の抵抗が単調に下がるように前記複数の誘電体を制御する
半導体装置製造装置。
【請求項８】
請求項７に記載の半導体装置製造装置において、
前記コントロール部は、前記めっき成膜が進行しても、前記基板の中心部の電流と前記基板の外周部の電流との電流比を一定に保つように前記複数の誘電体を制御する
半導体装置製造装置。
【請求項９】
カソードを有する基板を保持可能な基板保持部と、前記カソードの周辺部に電力を供給する給電部と、前記カソードと対向する位置に設けられたアノードと、前記カソードと前記アノードとの間に設けられた複数の誘電体とを具備し、前記複数の誘電体は、前記カソード表面に平行な平面に前記複数の誘電体を射影したとき、前記射影のパターンが前記平面内で略均一であり、前記射影の面積が可変であるように構成されている半導体装置製造装置の前記基板保持部に、前記基板が保持され、当該基板と前記アノードとの間に電解めっき液が満たされた状態で、前記給電部に電力を供給してめっき成膜を開始するステップと、
前記めっき成膜中に前記射影の面積を変えながら成膜するステップと
を具備する
半導体装置製造方法。
【請求項１０】
請求項９に記載の半導体装置製造方法において、
前記複数の誘電体は、誘電体物質の複数の遮蔽板であり、
前記射影の面積を変えながら成膜するステップは、
前記めっき成膜中に、前記複数の遮蔽板を、長手方向を軸として回転させながら成膜するステップを備える
半導体装置製造方法。
【請求項１１】
請求項９に記載の半導体装置製造方法において、
前記複数の誘電体は、誘電体物質の伸縮性の複数のチューブであり、
前記射影の面積を変えながら成膜するステップは、
前記めっき成膜中に、前記複数のチューブにおいて内部の液体又は気体の量を変えて直径を変えながら成膜するステップを備える
半導体装置製造方法。
【請求項１２】
請求項９乃至１１のいずれか一項に記載の半導体装置製造方法において、
前記射影の面積を変えながら成膜するステップは、
前記めっき成膜中に、前記カソードと前記アノードとの間の抵抗が単調に下がるように前記複数の誘電体を制御しながら成膜するステップを備える
半導体装置製造方法。
【請求項１３】
請求項１２に記載の半導体装置製造方法において、
前記複数の誘電体を制御しながら成膜するステップは、
前記めっき成膜が進行しても、前記基板の中心部の電流と前記基板の外周部の電流との電流比を一定に保つように前記複数の誘電体を制御する
半導体装置製造方法。
【発明の詳細な説明】
【技術分野】
【０００１】
本発明は、半導体装置製造装置及び半導体装置製造方法に関し、特に基板に金属めっきを行う半導体装置製造装置及び半導体装置製造方法に関する。
【背景技術】
【０００２】
近年の半導体装置では、配線での信号伝搬の遅延が素子動作を律速している。配線での遅延定数は配線抵抗と配線間容量の積で表される。したがって、配線抵抗を下げて素子動作を高速化するために、配線材料には比抵抗値の小さいＣｕ（銅）が用いられている。そして、半導体装置では、Ｃｕを用いた多層配線が行われている。
【０００３】
Ｃｕ多層配線はダマシン（ｄａｍａｓｃｅｎｅ）法で形成される。ダマシン法は、層間絶縁膜等の絶縁膜の堆積工程、開口部（配線層の場合は配線溝、ビアの場合にはビア孔）の形成工程、バリアメタルの堆積工程、Ｃｕシードと呼ばれるＣｕ薄膜の堆積工程、そのＣｕ薄膜をカソード電極とした電解めっき法を用いたＣｕ堆積による埋め込み工程、開口部の外に堆積したバリアメタル及びＣｕの化学機械研磨（ケミカル・メカニカル・ポリッシング、Ｃｈｅｍｉｃａｌ  Ｍｅｃｈａｎｉｃａｌ  Ｐｏｌｉｓｈｉｎｇ：ＣＭＰ）による除去工程、バリア絶縁膜の堆積工程からなる。
【０００４】
上記埋め込み工程の電解めっき法において、Ｃｕめっき膜の膜厚は電流密度に比例するため、電流密度のウェハ内分布の均一化が重要である。ウェハ面内の電流密度分布は、例えば、めっき槽内に固定の電解遮蔽版を設けるなどの手法で調整される。しかしながら、後述するようにめっきの進行に伴い電流密度分布は変わり、それにより狙いの膜厚が変わるとめっき膜厚分布が変わってしまうこと問題である。
【０００５】
Ｃｕめっき電流密度が外周部から中心部へ向かって低下する割合を示す低下率は、Ｃｕシードの抵抗が低いほど低くなる。ウェハ外周部から給電しているためである。したがって、Ｃｕシードの抵抗が低い場合、抵抗が高い場合に比べて中心部の電流密度は高くなる。逆に言えば、低下率は、Ｃｕシードの抵抗が高いほど高くなる。したがって、Ｃｕシードの抵抗が高い場合、抵抗が低い場合に比べて中心部の電流密度は低くなる。シードの抵抗はシード材料に高抵抗金属を用いたり、シード膜厚を薄くしたりすると高くなる。例えば、次世代の高抵抗シードの場合、抵抗が非常に高く、中心部の電流密度は著しく低くなるので、そのままでは中心部に殆ど成膜されない。そのため、電解めっき液の液抵抗を高くして、シードでの電圧降下の割合を低くして、中心部の電流密度を高めるような試みがされている。
【０００６】
Ｃｕめっき膜の膜厚は電流密度に比例するため、シードの抵抗が高い場合のめっき膜厚分布は、低い場合に比べて、ウェハ中心部が薄く外周部が厚くなる。逆に言えば、シードの抵抗が低い場合は抵抗が高い場合に比べて、ウェハ中心部が厚く外周部が薄くなる。Ｃｕめっき膜の成膜が進むと、Ｃｕめっき膜がシードとして働くことになる。すなわち、Ｃｕシードが厚くなってシード抵抗が低くなることと同じことになる。したがって、相対的に外周部が薄くなる傾向が強くなる。すなわち、Ｃｕめっき膜の膜厚が増加して行くと、その膜厚のウェハ面内分布が変わり、成膜初期の膜厚が薄いときに比べて、中心部が相対的に厚くなる。
【０００７】
Ｃｕめっき膜の膜厚が薄いときにウェハ面内の膜厚が一定になるように調整すると、Ｃｕめっき膜の膜厚が厚いときに外周部が薄くなる。逆に、Ｃｕめっき膜の膜厚が厚いときにウェハ面内の膜厚が一定になるように調整すると、Ｃｕめっき膜の膜厚が薄いときに中心部が薄くなる。外周部の膜厚が厚過ぎるとウェハ中心部で研磨が過剰になり、過剰部分の配線抵抗が高くなる。逆に、外周部の膜厚が薄過ぎるとウェハ外周部で研磨が過剰になり、過剰部分の配線抵抗が高くなる。このような傾向は、Ｃｕめっき膜に限らず、他の金属めっき膜においても同様に起こる。
【０００８】
Ｃｕめっき膜の膜厚分布の均一性に関連する技術として、例えば、特開２００３−０２７２９０号公報、特開２００４−２２５１２９号公報、及び特開２００７−２５４８８２号公報が開示されている。特開２００３−０２７２９０号公報の液処理装置および液処理方法は、伸縮する遮蔽板をウェハ中心部から伸長して、電解めっきでの電界を遮蔽する。特開２００４−２２５１２９号公報のめっき方法及びめっき装置は、カメラの絞りの様な構造の遮蔽板により、電解めっきでのウェハ外周部の電界を遮蔽する。特開２００７−２５４８８２号公報の電解めっき装置及び電解めっき方法は、分割アノードを用いる。分割アノードは複数のアノードを、例えば、同心円状に配置してそれぞれに給電する電流値を制御する手法で、外周部を厚くしたい場合は外周部の電流値を高くする。
【０００９】
【特許文献１】特開２００３−０２７２９０号公報
【特許文献２】特開２００４−２２５１２９号公報
【特許文献３】特開２００７−２５４８８２号公報
【発明の開示】
【発明が解決しようとする課題】
【００１０】
特開２００７−２５４８８２号公報に記載の分割アノードは、複数個の電極の電流密度分布を重ね合わせて、平坦な電流密度分布を実現させる手法である。ウェハ面内での電流密度のピーク位置は各電極で異なるため、結果的にピーク数が増える。この位置はめっき膜の膜厚によって変化するため、ある膜厚で最適化するだけでも困難である。加えて、最適化する膜厚を変更する場合、その膜厚調整には非常に工数が取られる。同様の手法にカソード補助電極もあるが、分割アノードの場合と同様の難点がある。
【００１１】
特開２００３−０２７２９０号公報や特開２００４−２２５１２９号公報に記載の遮蔽板は、遮蔽板が無い場合の電流密度分布と遮蔽板がある場合の電流密度分布とを重ね合わせて平坦な電流密度分布を実現させる手法である。分割アノードを用いる場合やカソード補助電極を用いる場合と同様の理由で、最適化するめっき膜の膜厚を変更する場合、その膜厚調整には大変に工数が取られる。
【００１２】
したがって、これらの従来技術では、最適化されためっき膜厚からめっき膜厚を変更してしまうと、めっき膜厚の面内分布が悪化してしまうという問題がある。
【課題を解決するための手段】
【００１３】
以下に、発明を実施するための最良の形態で使用される番号・符号を用いて、課題を解決するための手段を説明する。これらの番号・符号は、特許請求の範囲の記載と発明を実施するための最良の形態との対応関係を明らかにするために括弧付きで付加されたものである。ただし、それらの番号・符号を、特許請求の範囲に記載されている発明の技術的範囲の解釈に用いてはならない。
【００１４】
本発明の半導体装置製造装置は、基板保持部（８）と、給電部（３）と、アノード（６）と、複数の誘電体（１３、１４）とを具備する。基板保持部（８）は、カソード（５）有する基板（２０）を保持可能である。給電部（３）は、カソード（５）の周辺部に電力を供給する。アノード（６）は、カソード（５）と対向する位置に設けられている。複数の誘電体（１３、１４）は、カソード（５）とアノード（６）との間に設けられている。複数の誘電体（１３、１４）は、カソード（５）表面に平行な平面に複数の誘電体（１３、１４）を射影したとき、射影のパターンが平面内で略均一であり、射影の面積が可変であるように構成されている。
【００１５】
本発明では、複数の誘電体（１３、１４）が、カソード（５）とアノード（６）との間に設けられ、カソード（５）表面に平行な平面に複数の誘電体（１３、１４）を射影したとき、射影のパターンが平面内で略均一であり、射影の面積が可変であるように構成されている。そのため、めっき膜（５ａ）の成膜の進行に伴う基板（２０）上の抵抗減少に合わせて、カソード（５）−アノード（６）間の抵抗を基板（２０）の面内で略均一に低減させることができる。それにより、基板（２０）の面内の電流分布がめっき膜（５ａ）の膜厚によらずに一定に保つことができる。その結果、膜厚の面内分布を、膜厚によらずに一定に保つことが可能となる。
【００１６】
本発明の半導体装置製造方法は、カソード（５）を有する基板（２０）を保持可能な基板保持部（８）と、カソード（５）の周辺部に電力を供給する給電部（３）と、カソード（５）と対向する位置に設けられたアノード（６）と、カソード（５）とアノード（６）との間に設けられた複数の誘電体（１３、１４）とを具備し、複数の誘電体（１３、１４）は、カソード（５）表面に平行な平面に複数の誘電体（１３、１４）を射影したとき、射影のパターンが平面内で略均一であり、射影の面積が可変であるように構成されている半導体装置製造装置（１）の基板保持部（８）に、基板（２０）が保持され、当該基板（２０）とアノード（６）との間に電解めっき液（７）が満たされた状態で、給電部（３）に電力を供給してめっき成膜を開始するステップと、めっき成膜中に射影の面積を変えながら成膜するステップとを具備する。
【００１７】
本発明では、複数の誘電体（１３、１４）が、カソード（５）とアノード（６）との間に設けられ、カソード（５）表面に平行な平面に複数の誘電体（１３、１４）を射影したとき、射影のパターンが平面内で略均一であり、射影の面積が可変であるように構成されている。そして、めっき成膜中に射影の面積を変えながら成膜している。そのため、めっき膜（５ａ）の成膜の進行に伴う基板（２０）上の抵抗減少に合わせて、カソード（５）−アノード（６）間の抵抗を基板（２０）の面内で略均一に低減させることができる。それにより、基板（２０）の面内の電流分布がめっき膜（５ａ）の膜厚によらずに一定に保つことができる。
【発明の効果】
【００１８】
本発明により、めっき膜の膜厚によらず、めっき膜の膜厚分布の均一性を向上することができる。
【発明を実施するための最良の形態】
【００１９】
以下、本発明の半導体装置製造装置及び半導体装置製造方法の実施の形態に関して、添付図面を参照して説明する。
【００２０】
図１は、本発明の実施の形態に係る半導体装置製造装置の構成を示す概略図である。半導体装置製造装置１は、めっき室９と、基板ホルダ８と、電流源２と、給電部３と、ウェハシール部４と、アノード６と、複数の遮蔽板１３と、モニタ部１１と、コントロール部１２とを具備する。
【００２１】
基板ホルダ８は、めっき室９内に設けられ、カソード５となるシード膜を有する半導体ウェハ（基板）２０を保持可能である。電流源２は、めっき室９の外に設けられ、給電部３へ電解めっき用の電力を供給する。給電部３は、めっき室９内にリング状に設けられ、基板ホルダ８に保持された半導体基板２０のカソード５の周辺部を覆うように密着する。そして、電流源２からの電力をカソード５（シード膜）へ印加する。給電部３は、カソード５に圧着されることで、めっき室９内の電解めっき液７が、めっき室９の上部から外に漏れないようになっている。ウェハシール部４は、給電部３の外側表面に設けられ、給電部３を電解めっき液から保護する。それにより給電部３にめっき膜が成長しないようにしている。また、半導体ウェハ２０の側面等に電解めっき液７が回り込まないようにシールドする働きも有する。アノード６は、めっき室９内に円板状または円柱状に設けられ、カソード５（半導体ウェハ２０）や基板ホルダ８と対向する位置に設けられている。そして、電流源２から電力を印加される。これにより、アノード６とカソード５と両者間の電解めっき液７とにより電解めっきが行われ、めっき膜がカソード５上に成膜される。
【００２２】
複数の遮蔽板１３は、カソード５（半導体ウェハ２０）や基板ホルダ８とアノード６との間に、カソード５やアノード６の表面に対して略平行に並んで設けられている。複数の遮蔽板１３は、カソード５やアノード６の表面に平行な平面に複数の遮蔽板１３を射影したとき、その射影のパターンがその平面内で略均一であるような構成を有する。そして、その射影の面積が可変であるような構成を有する。遮蔽板１３は、誘電体物質で形成されている（誘電体物質で表面を覆われている場合を含む）。詳細は後述される。モニタ部１１は、電流源２から給電部３へ流される電流の積算電流量を監視・検出する。検出された積算電流量をコントロール部１２へ随時出力する。コントロール部１２は、電流源１２を制御して、カソード５−アノード間６に電力を供給してめっきを行う。それと共に、積算電流量に基づいて、複数の遮蔽板１３を動作させて、その射影の面積を制御する。すなわち、例えば、めっき膜の成膜開始から成膜終了まで連続的に複数の遮蔽板の遮蔽度を低減させて行くことで、射影の面積を低減させるように制御する。その結果、めっき膜の成膜が進行するに連れて、カソード５とアノード６との間の抵抗が単調に下がり、半導体ウェハ２０の中心部の電流との外周部の電流との電流比を一定に保つことができる。詳細は後述される。
【００２３】
図２は、本発明の実施の形態に係る複数の遮蔽板の構成を示す概略図である。図２（ｂ）は複数の遮蔽板１３をアノード６の側から見た概略平面図である。図２（ａ）は図２（ｂ）におけるＡＡ’概略断面図である。遮蔽板１３は、長方形（短冊形）の誘電体の板であり、長手方向をＹ方向と平行にして配置されている。複数の遮蔽板１３は、互いに平行に所定の隙間を有してＸ方向に縞状に並んでいる。複数の遮蔽板１３は、それらのカソード５（半導体ウェハ２０）への射影が、全体として円形のカソード５を概ね覆うように、隣り合う長方形（短冊形）の長さが少しずつ異なっている。このとき、射影のパターンは、縞状である。複数の遮蔽板１３は、カソード５とアノード６との間の領域に、カソード５やアノード６の表面に平行に並んでいる。アノード６側の電解めっき液７中のＣｕイオンは、複数の遮蔽板１３の間を通過してカソード５に至る。遮蔽板１３は、遮蔽板１３内を通る長手方向（Ｙ方向）に伸びる軸Ｐを中心にして回転可能である。図２（ａ）及び図２（ｂ）は、複数の遮蔽板１３が回転していない状態を示している。めっき膜の成膜の初期では、このような抵抗の相対的に高い状態になっている。
【００２４】
図３は、本発明の実施の形態に係る複数の遮蔽板の構成を示す概略図である。図３（ｂ）は複数の遮蔽板１３をアノード６の側から見た概略平面図である。図３（ａ）は図３（ｂ）におけるＢＢ’概略断面図である。図３（ａ）及び図３（ｂ）は、図２（ａ）及び図２（ｂ）と基本的に同じである。ただし、一例として、複数の遮蔽板１３が約６０度回転した状態を示している。めっき膜の成膜の途中又は終了では、このような抵抗の相対的に低い状態になっている。カソード５（シード膜）上には、めっき膜５ａが形成されている。このように、アノード６−カソード５間において、複数の遮蔽板１３の回転角（遮蔽度）を変化させることで、アノード６−カソード５間の電界を変化可能としている。
【００２５】
なお、上記複数の遮蔽板１３の組は一段分である。しかし、本発明はこの例に限定されるものではなく、二組以上（二段以上）の複数の遮蔽板１４を有していても良い。例えば、上記複数の遮蔽板１３と同一で、ただしＺ方向を軸として９０度回転させた（遮蔽板の長手方向をＸ方向と平行した）他の複数の遮蔽板の組を更に用いて、遮蔽板の組を二段としても良い。更に、上記複数の遮蔽板１３と同一で、ただしＺ方向を軸として４５度回転させた更に他の複数の遮蔽板の組を更に用いて、遮蔽板の組を三段としても良い。また、遮蔽板１３の誘電体の板の幅や間隔は後述される所望の電気特性に応じて、適宜設計変更が可能である。
【００２６】
また、めっき室９の構造に起因する特異的なめっき膜の膜厚分布を改善するために、他の遮蔽板・遮蔽体（例示：図５）、カソード補助電極、分割アノードを併用しても良い。また、めっきで一般的に用いられている半導体ウェハ２０全面での均一性を高くするための高抵抗体、アノード６からのスラッジを防ぐためのメンブレンフィルタ、アノード６での添加剤消耗を防ぐためのイオン交換樹脂、等が含まれていても良い。
【００２７】
次に、本発明の実施の形態に係る半導体装置製造装置の動作原理について説明する。図４は、本発明の実施の形態に係る半導体装置製造装置の動作原理を説明する概略断面図である。ただし、図中の各記号の意味は以下の通りである。
【００２８】
ＲＬ：遮蔽板１３のある領域を除いた電解めっき液７の抵抗
（アノード６−遮蔽板１３間：ＲＬ１＋遮蔽板１３−給電部３間：ＲＬ２）
ＲＤ（ｔ）：遮蔽板１３のある領域における電解めっき液７の抵抗
ＲＳ（ｔ）：シード膜（カソード５）の抵抗ＲＳ０とめっき膜５ａの抵抗ＲＳ０（ｔ）との合成抵抗
ｄ０：シード膜（カソード５）の膜厚
ｄ１（ｔ）：めっき膜５ａの膜厚
ｄ（ｔ）（＝ｄ０＋ｄ１（ｔ））：シード膜（カソード５）＋めっき膜５ａの膜厚（全膜厚）
【００２９】
（ａ）半導体ウェハ２０の外周部での抵抗
半導体ウェハ２０の外周部での抵抗（電解めっき液７の抵抗を含む）は、めっきの初期（ｔ＝０）及びめっき中において以下のように表される。
（ａ−１）初期：ＲＬ＋ＲＤ（０）      …（式１）
（ａ−２）めっき中    ：ＲＬ＋ＲＤ（ｔ）      …（式２）
【００３０】
（ｂ）半導体ウェハ２０の中心部での抵抗
一方、半導体ウェハ２０の中心部において、シード膜の抵抗ＲＳ０に加え、めっきが進行すると、めっき膜による抵抗ＲＳ０（ｔ）の影響を受ける。従って、カソード５（シード膜）とめっき膜との合成抵抗成分は、以下のように表される。
ＲＳ（ｔ）＝１／（１／ＲＳ０＋１／ＲＳ０（ｔ））
＝１／（１／ＲＳ０＋１／（ＲＳ０・（ｄ０／（ｄ１（ｔ）））
＝１／（１／ＲＳ０＋ｄ１（ｔ）／（ＲＳ０・ｄ０））
＝ｄ０／（ｄ０／ＲＳ０＋ｄ１（ｔ）／ＲＳ０）
＝ＲＳ０・ｄ０／（ｄ０＋ｄ１（ｔ））
＝ＲＳ０・ｄ０／（ｄ０＋ｄ１（ｔ））
＝ＲＳ０・ｄ０／ｄ（ｔ）      …（式３）
ただし、めっき膜５ａ及びシード膜の抵抗率は通常ほとんど同じため、同一と仮定している。そのため、
ＲＳ０（ｔ）＝ＲＳ０・（ｄ０／（ｄ１（ｔ））
である。
【００３１】
従って、半導体ウェハ２０の中心部での抵抗成分（電解めっき液７の抵抗を含む）は、めっきの初期及びめっき中において以下のように表される。
（ｂ−１）初期：ＲＳ０＋ＲＬ＋ＲＤ（０）      …（式４）
（ｂ−２）めっき中：ＲＳ（ｔ）＋ＲＬ＋ＲＤ（ｔ）
＝ＲＳ０・ｄ０／ｄ（ｔ）＋ＲＬ＋ＲＤ（ｔ）      …（式５）
【００３２】
（ｃ）中心部の抵抗値と外周部の抵抗値との比
ここで、
ＲＬ＋ＲＤ（ｔ）＝（ＲＬ＋ＲＤ（０））・ｄ０／ｄ（ｔ）      …（式６）
なるＲＤ（ｔ）を考える。
【００３３】
この（式６）を用いると、半導体ウェハ２０の外周部の抵抗成分は、めっき中では（式２）より以下のように表される。
めっき中：ＲＬ＋ＲＤ（ｔ）
＝（ＲＬ＋ＲＤ（０））・ｄ０／ｄ（ｔ）      …（式７）
【００３４】
この（式６）を用いると、半導体ウェハ２０の中心部の抵抗成分は、めっき中では（式５）より以下のように表される。
めっき中：Ｒｓ（ｔ）＋ＲＬ＋ＲＤ（ｔ）
＝（ＲＳ０＋ＲＬ＋ＲＤ（０））・ｄ０／ｄ（ｔ）      …（式８）
【００３５】
従って、めっきの初期（ｔ＝０）における、中心部の抵抗値と外周部の抵抗値との比は、（式４）と（式１）とにより以下のように表される。
（ｃ−１）初期：中心部の抵抗値／外周部の抵抗値
＝（ＲＳ０＋ＲＬ＋ＲＤ（０））／（ＲＬ＋ＲＤ（０））      …（式９）
【００３６】
一方、めっき中における、中心部の抵抗値／外周部の抵抗値との比は、（式８）と（式７）とにより以下のように表される。
（ｃ−２）めっき中：中心部の抵抗値／外周部の抵抗値
＝（ＲＳ０＋ＲＬ＋ＲＤ（０））／（ＲＬ＋ＲＤ（０））      …（式１０）
【００３７】
すなわち、（式９）と（式１０）とから、めっきの初期と途中とで、中心部の抵抗値と外周部の抵抗値との比は一定である。従って、めっきが進行しても中心部の抵抗値と外周部の抵抗値との比は変化しないことがわかる。
【００３８】
ここで、中心部の抵抗値と外周部の抵抗値との比が変化しないようになるためのＲＤ（ｔ）の条件は、（式６）により以下のように表される。
ＲＤ（ｔ）＝（ＲＬ＋ＲＤ（０））・ｄ０／ｄ（ｔ）−ＲＬ      …（式１１’）
＝ＲＤ（０）・ｄ０／ｄ（ｔ）−ＲＬ・（ｄ（ｔ）−ｄ０）／ｄ（ｔ）
＝（ＲＤ（０）・ｄ０―ｄ１（ｔ）・ＲＬ）／ｄ（ｔ）      …（式１１）
【００３９】
従って、上記（式１１）のように、ＲＤ（ｔ）を時間と共に変化させれば、めっき膜の膜厚に関係なく（めっきの初期とめっき中とに関係なく）、外周部と中心部とで抵抗比が変化することはなくなる。すなわち、外周部と中心部とで電流比が変化することはなくなる。したがって、めっき膜の膜厚によらず、めっき膜の膜厚分布の均一性を向上することができる。また、めっき膜の膜厚によらずめっき膜の膜厚分布が均一になるので、最適化するめっき膜の膜厚を変更する場合でも、その膜厚調整がほとんど不要とすることが出来る。
【００４０】
次に、本発明の実施の形態に係る半導体装置製造装置の動作について図１〜図４を参照しながら説明する。ここでは、Ｃｕ膜をめっきする場合を例にして説明する。しかし、本発明はＣｕめっき膜に限定されるものではなく、他の金属めっき膜に対しても同様に適用可能である。
【００４１】
まず、Ｃｕめっきに先立ち、半導体ウェハ２０の全面にＴｉ（チタニウム）等の金属がシード膜としてスパッタ法により成膜される。そのシード膜の膜厚は、コントロール部１２の記憶部（図示されず）に格納される。次に、シード膜付きの半導体ウェハ２０が半導体装置製造装置１の基板ホルダ８に装着される。そのとき、シード膜が給電部３に接触するように（シード膜がアノード６に対向するように）設置される。シード膜はカソード５となる。そして、めっき室９における少なくともカソード５とアノード６との間の領域には電解めっき液７が充填されている。コントロール部１２は、電流源１２に電力供給指令を出力する。電流源１２は、給電部３を介してカソード５にマイナス、アノード６にプラスの電圧を印加して電解めっきを実行する。電解めっきでは、電解めっき液７中のＣｕ２＋イオンがカソード５に移動し、カソード５であるシード膜上にＣｕが析出する。これにより、Ｃｕのめっき膜５ａがシード膜（カソード５）上に形成されて行く。
【００４２】
上記めっき中において、モニタ部１１は、電流源２から給電部３へ流される電流の積算電流量を検出し、コントロール部１２へ出力する。コントロール部１２は、積算電流量に基づいて、めっき膜５ａの膜厚ｄ１（ｔ）を算出する。積算電流量からめっき膜５ａの膜厚ｄ１（ｔ）を計算する方法は、従来知られた方法（カソード５の面積及び積算電流量を用いる）を用いることができる。ここで、シード膜（カソード５）の膜厚ｄ０、初期の遮蔽板１３による電解めっき液７の抵抗ＲＤ（０）、及び遮蔽板１３を除く電解めっき液の抵抗ＲＬは既知である。全膜厚ｄ（ｔ）は、シード膜（カソード５）の膜厚ｄ０と、計算されためっき膜５ａの膜厚ｄ１（ｔ）との和である。従って、コントロール部１２は、これらの各パラメータの値に基づいて、（式１１）により遮蔽板１３による電解めっき液７の抵抗ＲＤ（ｔ）を算出する。コントロール部１２は、遮蔽板１３による電解めっき液７の抵抗ＲＤ（ｔ）と、遮蔽板１３の回転角度θとの関係を示すテーブルを記憶部（図示されず）に有している。コントロール部１２は、そのテーブルを参照して、算出された抵抗ＲＤ（ｔ）となる回転角度θを算出する。そして、コントロール部１２は、駆動装置（図示されず）で複数の遮蔽板１３がその回転角度θになるように、複数の遮蔽板１３を回転させる。すなわち、遮蔽板１３による電解めっき液７の抵抗が（式１１）のＲＤ（ｔ）に従うように複数の遮蔽板１３を回転（変更）する。なお、駆動装置はコントロール部１２に含まれていても良い。また、積算電流量は成膜レシピで設定された値から計算しても良い。
【００４３】
このとき、（式１１’）に示すように、ＲＤ（ｔ）は全膜厚ｄ（ｔ）の増加、すなわちめっき成膜の進行と共に単調に減少する。従って、コントロール部１２は、めっき成膜の進行と共に、ＲＤ（ｔ）を単調に減少させるように、複数の遮蔽板１３の回転角度θを制御する。すなわち、めっき成膜の進行と共に、図２（ａ）に示すように寝ている状態から、図３（ａ）に示すように軸Ｐを中心にして回転角度θだけ回転して立ち上がった状態へと回転させる。別の見方をすれば、コントロール部１２は、めっき膜５ａの成膜開始から成膜終了まで連続的に複数の遮蔽板１３の遮蔽度を低減させて（電解めっき液７を遮蔽する遮蔽板間の距離を広げるようにして）行き、射影の面積を低減させるように制御する。このような複数の遮蔽板１３の回転動作により、上記動作原理で示したように、半導体ウェハ２０の中心部の電流との外周部の電流との電流比を一定に保つことができる。
【００４４】
所定の膜厚のめっき膜５ａが成膜された場合、コントロール部１２は、電流源１２に電力の供給の中止を指令する。電流源１２は電力の供給を中止して、めっきが完了する。以上のようにして、半導体装置製造装置は動作する。
【００４５】
本発明では、めっき膜の膜厚に応じて（式１１）のＲＤ（ｔ）に従うように複数の遮蔽板１３の開度（回転角度）を変化させることにより、中心部の抵抗値と外周部の抵抗値との比がめっき成膜中、常に均一に保たれる。すなわち、電解めっき液７中を流れる電流密度の半導体ウェハ面内分布は、めっき成膜中で常に均一に保たれることになる。そのため、めっき膜の膜厚によって、その膜厚の半導体ウェハ面内分布が変化しなくなる。従って、めっき膜の膜厚の面内分布をその膜厚によらずに簡単に均一に保つことが可能となる。また、めっき膜の膜厚によらずめっき膜の膜厚分布が均一になるので、最適化するめっき膜の膜厚を変更する場合でも、その膜厚調整が実質的に不要になる。従来手法は、半導体ウェハの面内の電界分布を均一とするために、局所的に遮蔽板を挿入したり局所的に電界を印加したりしていた。このため、複数の電界分布を重ね合わせることになり、電界分布のピーク数が増え、その結果の予測は大変に困難であり制御も難しかった。本発明は局所的な変更をしないためピーク数は変化せず、結果の予測も制御も容易である。
【００４６】
上記実施の形態では、長方形の板状の遮蔽板を用いているが、本発明はその例に限定されるものではなく、他の形状の誘電体を用いることが出来る。その一例を図５及び図６に示す。図５及び図６は、本発明の実施の形態に係る複数の遮蔽体の構成の一例を示す概略図である。図５及び図６の例では、複数の遮蔽板１３の換わりに複数の遮蔽体１４を用いている。ただし、図５（ｂ）は複数の遮蔽体１４をアノード６の側から見た概略平面図である。図５（ａ）は図５（ｂ）におけるＣＣ’概略断面図である。図６（ｂ）は複数の遮蔽体１４をアノード６の側から見た概略平面図である。図６（ａ）は図６（ｂ）におけるＤＤ’概略断面図である。
【００４７】
複数の遮蔽体１４は、カソード５（半導体ウェハ２０）や基板ホルダ８とアノード６との間に、カソード５やアノード６の表面に対して略平行に並んで、二段にわたって設けられている。遮蔽体１４は、伸縮性で内部が中空の誘電体チューブ（誘電体物質で表面を覆われている場合を含む）である。内部の中空の部分に注入する液体又は気体の量の多少により直径を伸縮可能である。一段分の複数の遮蔽体１４は、カソード５やアノード６の表面に平行な平面に複数の遮蔽体１４を射影したとき、その射影のパターンがその平面内で略均一であるような構成を有する。そして、その射影の面積が可変であるような構成を有する。二段目の複数の遮蔽体１４は、一段目の複数の遮蔽体１４と同一で、ただしＺ方向を軸として９０度回転させた構成を有する。二段分の複数の遮蔽体１４により、カソード５やアノード６の表面に平行な平面に複数の遮蔽体１４を射影したとき、その射影のパターンがメッシュ状（格子状）になる。その射影パターンが、その平面内で略均一で、その射影の面積が可変であることは、一段しかない場合と同様である。
【００４８】
遮蔽体１４は、円筒形（チューブ）の誘電体である。一段分の遮蔽体１４は、長手方向をＹ方向と平行にして配置されている。複数の遮蔽体１４は、互いに平行に所定の隙間を有してＸ方向に縞状に並んでいる。複数の遮蔽体１４は、それらのカソード５（半導体ウェハ２０）への射影が、全体として円形のカソード５を概ね覆うように、隣り合う円筒形（チューブ）の長さが少しずつ異なっている。このとき、射影のパターンは、縞状である。複数の遮蔽体１４は、カソード５とアノード６との間の領域に、カソード５やアノード６の表面に平行に並んでいる。アノード６側の電解めっき液７中のＣｕイオンは、複数の遮蔽体１４の間を通過してカソード５に至る。遮蔽体１４は、遮蔽体１４内を通る長手方向（Ｙ方向）に伸びる軸Ｑを中心にして直径が伸縮可能である。コントロール部１２は、遮蔽体１４の内部に供給する液体又は気体の量（例示：圧縮空気１６）によりその直径を制御する。図５（ａ）及び図５（ｂ）は、複数の遮蔽体１４の内部に液体又は気体が供給され、その直径が伸びている状態を示している。めっき膜の成膜の初期では、このような抵抗の相対的に高い状態になっている。
【００４９】
図６（ａ）及び図６（ｂ）は、図５（ａ）及び図５（ｂ）と基本的に同じである。ただし、一例として、複数の遮蔽体１４の内部の液体又は気体が取り出され、その直径が縮小している状態を示している。めっき膜の成膜の途中又は終了では、このような抵抗の相対的に低い状態になっている。カソード５（シード膜）上には、めっき膜５ａが形成されている。このように、アノード６−カソード５間において、複数の遮蔽体１４の直径（遮蔽度）を変化させることで、アノード６−カソード５間の電界を変化可能としている。
【００５０】
なお、上記複数の遮蔽体１４の組は二段分である。しかし、本発明はこの例に限定されるものではなく、一組（一段）であっても、三組以上（三段以上）の複数の遮蔽体１４を有していても良い。また、遮蔽体１４の誘電体の円筒形の直径や間隔は既述の所望の電気特性に応じて、適宜設計変更が可能である。
【００５１】
また、めっき室９の構造に起因する特異的なめっき膜の膜厚分布を改善するために、他の遮蔽板（例示：図２）・遮蔽体、カソード補助電極、分割アノードを併用しても良い。また、めっきで一般的に用いられている半導体ウェハ２０全面での均一性を高くするための高抵抗体、アノード６からのスラッジを防ぐためのメンブレンフィルタ、アノード６での添加剤消耗を防ぐためのイオン交換樹脂、等が含まれていても良い。
【００５２】
本発明は上記各実施の形態に限定されず、本発明の技術思想の範囲内において、各実施の形態は適宜変形又は変更され得ることは明らかである。
【図面の簡単な説明】
【００５３】
【図１】図１は、本発明の実施の形態に係る半導体装置製造装置の構成を示す概略図である。
【図２】図２は、本発明の実施の形態に係る複数の遮蔽板の構成を示す概略図である。
【図３】図３は、本発明の実施の形態に係る複数の遮蔽板の構成を示す概略図である。
【図４】図４は、本発明の実施の形態に係る半導体装置製造装置の動作原理を説明する概略断面図である。
【図５】図５は、本発明の実施の形態に係る複数の遮蔽体の構成の一例を示す概略図である。
【図６】図６は、本発明の実施の形態に係る複数の遮蔽体の構成の一例を示す概略図である。
【符号の説明】
【００５４】
１    半導体装置製造装置
２    電流源
３    給電部
４    ウェハシール部
５    カソード
５ａ    めっき膜
６    アノード
７    電解めっき液
８    基板ホルダ
９    めっき室
１１    モニタ部
１２    コントロール部
１３    遮蔽板
１４    遮蔽体
１６    圧縮空気
２０    半導体ウェハ
【図１】
2010138433.tif 000003
【図２】
2010138433.tif 000004
【図３】
2010138433.tif 000005
【図４】
2010138433.tif 000006
【図５】
2010138433.tif 000007
【図６】
2010138433.tif 000008